(57)【要約】      （修正有）【課題】コネクタアセンブリが複数組のワイヤを含む場合、比較的大きなコネクタアセンブリ、及び比較的高い嵌合挿入力を伴うこととなる。【解決手段】コネクタアセンブリ１０は、第１及び第２のコネクタ本体と、端子スプリッター１８、２０とを含んでもよい。第２のコネクタ本体は第１のコネクタ本体と嵌合して係合してもよい。端子スプリッターは、第１及び第２のコネクタ本体の少なくとも１つに収容されてもよい。端子スプリッターは、本体部２４とブレード部２６とを含んでもよく、本体部は、当該本体部に接続された第１及び第２のワイヤ２２を有し、ブレード部は、本体部から延伸しており、当該ブレード部に接続されている第３のワイヤを含んでいる。端子スプリッターによりコネクタアセンブリを小型化し嵌合挿入力を低減する。【選択図】図１
2017004936.tif 000002
【特許請求の範囲】
【請求項１】
第１のコネクタ本体と、
上記第１のコネクタ本体と嵌合して係合する第２のコネクタ本体と、
上記第１及び第２のコネクタ本体に収容される端子スプリッターとを備えるコネクタアセンブリであって、
上記端子スプリッターは、本体部とブレード部とを含み、上記本体部は、当該本体部に接続された第１及び第２のワイヤを有し、上記ブレード部は、上記本体部から延伸しており、上記ブレード部に接続された第３のワイヤを有していることを特徴とするコネクタアセンブリ。
【請求項２】
上記本体部は、上記第１のコネクタ本体の可撓性タブを少なくとも部分的に収容する開口部を含むことを特徴とする、請求項１に記載のコネクタアセンブリ。
【請求項３】
上記可撓性タブは、傾斜面と止め面とを含み、上記傾斜面の一部と、上記止め面の一部は上記開口部に収容され、上記止め面は、上記開口部を規定している面に干渉して、上記第１及び第２のコネクタ本体からの上記端子スプリッターの脱落を制限することを特徴とする、請求項２に記載のコネクタアセンブリ。
【請求項４】
上記端子スプリッターは単一体として形成される金属部材であることを特徴とする、請求項３に記載のコネクタアセンブリ。
【請求項５】
上記本体部の幅は、上記ブレード部の幅より少なくとも２倍大きいことを特徴とする、請求項４に記載のコネクタアセンブリ。
【請求項６】
上記ブレード部の長手軸が、上記開口部を通って延伸することを特徴とする、請求項５に記載のコネクタアセンブリ。
【請求項７】
上記止め面に干渉される上記開口部の上記面は、上記ブレード部の上記長手軸に対して垂直に延伸している平らな面であることを特徴とする、請求項６に記載のコネクタアセンブリ。
【請求項８】
上記ブレード部は、テーパ状の遠位端を含むことを特徴とする、請求項７に記載のコネクタアセンブリ。
【請求項９】
上記第３のワイヤは、上記ブレード部を収容する雌レセプタクルを含むことを特徴とする、請求項８に記載のコネクタアセンブリ。
【請求項１０】
上記第１及び第２のワイヤは、上記本体部に溶接されていることを特徴とする、請求項９に記載のコネクタアセンブリ。
【請求項１１】
第１及び第２のワイヤを含む第１の電気部品と、
第３及び第４のワイヤを含む第２の電気部品と、
第５及び第６のワイヤを含む第３の電気部品と、
第１のコネクタ本体と、当該第１のコネクタ本体と嵌合して係合するように構成される第２のコネクタ本体と、上記第１及び第２のコネクタ本体の少なくとも１つに収容される第１及び第２の端子スプリッターとを含むコネクタアセンブリとを含む電気アセンブリであって、
上記第１及び第２の端子スプリッターは、それぞれ、本体部と、当該本体部から延伸しているブレード部とを含み、上記第１の端子スプリッターの上記本体部は、当該本体部と電気的に接続された上記第１及び第３のワイヤを有し、上記第１の端子スプリッターの上記ブレード部は、当該ブレード部と電気的に接続された上記第５のワイヤを有し、上記第２の端子スプリッターの上記本体部は、当該本体部と電気的に接続された上記第２及び第４のワイヤを有し、上記第２の端子スプリッターの上記ブレード部は、当該ブレード部と電気的に接続された上記第６のワイヤを有していることを特徴とする電気アセンブリ。
【請求項１２】
上記第１及び第２のワイヤを流れる電流のアンペア数は、上記第３及び第４のワイヤを流れる第１の電流のアンペア数と、上記第５及び第６のワイヤを流れる第２の電流のアンペア数との合計に等しいことを特徴とする、請求項１１に記載の電気アセンブリ。
【請求項１３】
上記本体部は、上記第１のコネクタ本体の可撓性タブを少なくとも部分的に収容する開口部を含むことを特徴とする、請求項１２に記載の電気アセンブリ。
【請求項１４】
上記可撓性タブは、傾斜面と止め面とを含み、上記傾斜面の一部と、上記止め面の一部は上記開口部に収容され、上記止め面は、上記開口部を規定している面に干渉して、上記第１及び第２のコネクタ本体からの上記端子スプリッターの脱落を制限することを特徴とする、請求項１３に記載の電気アセンブリ。
【請求項１５】
上記本体部の幅は、上記ブレード部の幅より少なくとも２倍大きいことを特徴とする、請求項１４に記載の電気アセンブリ。
【請求項１６】
上記ブレード部の長手軸が、上記開口部を通って延伸することを特徴とする、請求項１５に記載の電気アセンブリ。
【請求項１７】
上記止め面に干渉される上記開口部の上記面は、上記ブレード部の上記長手軸に対して垂直に延伸している平らな面であることを特徴とする、請求項１６に記載の電気アセンブリ。
【請求項１８】
上記端子スプリッターはそれぞれ単一体として形成される金属部材であることを特徴とする、請求項１７に記載の電気アセンブリ。
【請求項１９】
上記ブレード部は、テーパ状の遠位端を含むことを特徴とする、請求項１８に記載の電気アセンブリ。
【請求項２０】
上記第３のワイヤは、上記ブレード部を収容する雌レセプタクルを含むことを特徴とする、請求項１９に記載の電気アセンブリ。
【発明の詳細な説明】
【発明の詳細な説明】
【０００１】
〔関連出願への相互参照〕
本願は、米国仮出願６２／１６２，３５６（出願日：２０１５年５月１５日）の利益を主張し、上記出願の開示全体が参照によって本明細書に組み込まれるものとする。
【０００２】
〔分野〕
本開示は、スプリッター端子及び該スプリッター端子を含むコネクタアセンブリに関する。
【０００３】
〔背景と概要〕
本項目は、本開示に関連する背景情報を提供するが、これは必ずしも先行技術ではない。本項目は、本開示の全般的な概要も提供するが、これは本開示の全範囲またはそのすべての特徴についての包括的な開示ではない。
【０００４】
電気コネクタアセンブリは、１組以上のワイヤを含むことが可能である。１組のワイヤは、１本の単線に圧着された単一の雄端子をそれぞれ含み、該雄端子は、もう１本の単線に圧着された単一の雌端子と嵌合している。このような形状のため、特に、上記アセンブリが上記のような複数組のワイヤを含む場合、比較的大きなコネクタアセンブリ、及び比較的高い挿入力を伴うこととなる。例えば、アセンブリが４つの電気回路を含む場合、当該アセンブリは４組の雄−雌端子と、８つのワイヤハーネスとを含み得る。このようなアセンブリのコネクタの挿入力は、４つの雄端子を４つの雌端子に正確に挿入するために非常に高くなる。さらに、上記コネクタアセンブリの全体的なサイズは、４組の端子全てを収容するのに十分な大きさである必要がある。
【０００５】
ある形態においては、本開示は、スプリッター端子を提供する。当該スプリッター端子は、少なくとも３本の別々のワイヤが、上記スプリッター端子へ電気的に接続されることを可能とする。上記３本のワイヤのうちの２本のワイヤは、上記スプリッター端子と溶接されてもよく、上記スプリッター端子の雄ブレードは、第３のワイヤに取り付けられた雌バネ端子によって収容され得る。上記スプリッター端子は、上記ブレード及び雌バネ端子を介して、一つの溶接接続部から別の溶接接続部、そして第３のワイヤへの電流の流れを可能とする。上記スプリッター端子の形状及び構造は、コネクタの嵌合力を一部の従来のコネクタより低くし、より小さいスペースに収容可能である。上記スプリッター端子は、端子接続を少なくすることが可能であり、これによって、アセンブリの完全な電気的接続に必要な挿入力を低減することができる。
【０００６】
他の形態においては、本開示は、第１のコネクタ本体と、第２のコネクタ本体と、端子スプリッターとを含み得るコネクタアセンブリを提供する。上記第２のコネクタ本体は、上記第１のコネクタ本体を嵌合して収容するように構成されてもよい。上記端子スプリッターは、上記第１及び第２のコネクタ本体に収容されてもよい。上記端子スプリッターは、本体部とブレード部とを含んでもよく、上記本体部は、当該本体部に接続された第１及び第２のワイヤを有し、上記ブレード部は、上記本体部から延伸しており、当該ブレード部に接続された第３のワイヤを有している。
【０００７】
いくつかの構成においては、上記本体部は、上記第１のコネクタ本体の可撓性タブを少なくとも部分的に収容する開口部を含んでいる。
【０００８】
いくつかの構成においては、上記可撓性タブは、傾斜面と止め面とを含んでいる。上記傾斜面の一部と、上記止め面の一部は、上記開口部に収容されてもよい。上記止め面は、上記開口部を規定している面に干渉して、上記第１及び第２のコネクタ本体からの上記端子スプリッターの脱落を制限してもよい。
【０００９】
いくつかの構成においては、上記端子スプリッターは、単一体として形成される金属部材である。
【００１０】
いくつかの構成においては、上記本体部の幅は、上記ブレード部の幅より少なくとも２倍大きい。
【００１１】
いくつかの構成においては、上記ブレード部の長手軸は上記開口部を通って延伸する。
【００１２】
いくつかの構成においては、上記止め面に干渉される上記開口部の上記面は、上記ブレード部の上記長手軸に対して垂直に延伸している平らな面である。
【００１３】
いくつかの構成においては、上記ブレード部はテーパ状の遠位端を含んでいる。
【００１４】
いくつかの構成においては、上記第３のワイヤは、上記ブレード部を収容する雌レセプタクルを含んでいる。
【００１５】
いくつかの構成においては、上記第１及び第２のワイヤは上記本体部に溶接される。
【００１６】
他の形態においては、本開示は、第１の電気部品と、第２の電気部品と、第３の電気部品と、コネクタアセンブリとを含み得る電気アセンブリを提供する。上記第１の電気部品は、第１及び第２のワイヤを含んでもよい。上記第２の電気部品は、第３及び第４のワイヤを含んでもよい。上記第３の電気部品は、第５及び第６のワイヤを含んでもよい。上記コネクタアセンブリは、第１のコネクタ本体と、当該第１のコネクタ本体を嵌合して収容するように構成される第２のコネクタ本体と、上記第１及び第２のコネクタ本体の少なくとも１つに収容される第１及び第２の端子スプリッターとを含んでもよい。上記第１及び第２の端子スプリッターは、それぞれ、本体部と、当該本体部から延伸しているブレード部とを含んでもよい。上記第１の端子スプリッターの上記本体部は、当該本体部と電気的に接続された上記第１及び第３のワイヤを有してもよい。上記第１の端子スプリッターの上記ブレード部は、当該ブレード部と電気的に接続された上記第５のワイヤを有してもよい。上記第２の端子スプリッターの上記本体部は、当該本体部と電気的に接続された上記第２及び第４のワイヤを有してもよい。上記第２の端子スプリッターの上記ブレード部は、当該ブレード部と電気的に接続された上記第６のワイヤを有してもよい。
【００１７】
いくつかの構成においては、上記第１及び第２のワイヤを流れる電流のアンペア数は、上記第３及び第４のワイヤを流れる第１の電流のアンペア数と、上記第５及び第６のワイヤを流れる第２の電流のアンペア数との合計に等しい。
【００１８】
本明細書に記載の説明により、さらなる適用分野が明らかになるだろう。この概要の説明及び具体的な例は単に例示するためのものであり、本開示の範囲を限定することを意図していない。
【００１９】
〔図面の簡単な説明〕
本明細書で説明する図は、すべての実施可能な実施形態ではなく、選択された実施形態を単に例示するためのものであり、本開示の範囲を制限することを意図していない。
【００２０】
図１は、本開示の原理に係る複数の端子スプリッターを有するコネクタアセンブリを含む電気アセンブリの概略図である。
【００２１】
図２は、上記コネクタアセンブリの側面図である。
【００２２】
図３は、各電気部品（概略的に示す）に接続されたコネクタ本体を有する上記コネクタアセンブリの部分分解斜視図である。
【００２３】
図４は、上記コネクタアセンブリの第１のコネクタ本体の斜視図であり、上記端子スプリッターが、上記第１のコネクタ本体に収容されている。
【００２４】
図５は、上記コネクタアセンブリの第２のコネクタ本体の斜視図である。
【００２５】
図６は、上記複数の端子スプリッターのうちの１つの斜視図であり、上記端子スプリッターは当該端子スプリッターに接続された複数のワイヤを有している。
【００２６】
図７は、上記第１のコネクタ本体の平面図である。
【００２７】
図８は、上記コネクタアセンブリの断面図である。
【００２８】
図９は、上記コネクタアセンブリの他の断面図である。
【００２９】
図１０は、上記第１のコネクタ本体の斜視断面図である。
【００３０】
上記図面の複数の図を通して、対応する参照番号は対応する部分を示している。
【００３１】
〔発明の詳細な説明〕
添付の図面を参照しながら、実施形態をより十分に説明する。
【００３２】
実施形態は、本開示が十分なものとなり、本開示が発明の範囲を当業者に十分に伝えるように提供される。本開示の実施形態の完全な理解をもたらすために、特定の部品、装置及び方法例等の多数の具体的な詳細が記載されている。そのような具体的な詳細は採用する必要がなく、実施形態は多数の異なる形態で具体化してもよく、そして、上記の具体的な詳細、及び実施形態は本開示の範囲を制限すると解釈されるべきではないことは、当業者にとって明らかであろう。いくつかの実施形態においては、周知の方法、周知の装置構造、及び周知の技術は詳細に説明しない。
【００３３】
本明細書で使用される専門用語は、単に特定の実施形態を説明するためのものであり、限定することを意図していない。本明細書で使用される場合、文脈が明らかにそうでないことを示す場合を除き、単数形（「a」、「an」及び「the」）には複数形も同様に含まれることが意図されてもよい。用語「備える（comprises）」、「備えている（comprising）」、「含んでいる（including）」及び「有する（having）」は包括的であるため、特定の特徴、整数、工程、操作、要素及び／または部品の存在を明示するが、一つ以上の他の特徴、整数、工程、操作、要素、部品及び／またはこれらの群の存在、または付加を排除しない。実行の順序として明確に特定されない限り、本明細書で説明される方法の工程、プロセス及び操作は、説明または例示された特定の順序で必ず実行することを求めていると解釈されない。付加的または代替的な工程を利用してよいことも理解される。
【００３４】
ある要素または層が、他の要素または層「の上に（on）」、「と係合して（engaged to）」、「と接続して（connected to）」、または「と連結して（coupled to）」と示されている場合、上記要素または層は、直接的に他の要素または層「の上に」、「と係合して」、「と接続して」、または「と連結して」としてもよく、或いは、介在する要素または層が存在してもよい。対照的に、ある要素が他の要素または層の「直接的に上に（directly on）」、「と直接的に係合して（directly engaged to）」、「と直接的に接続して（directly connected to）」、または「と直接的に連結して（directly coupled to）」と示されている場合、介在する要素または層は存在できない。要素間の関係を説明するために使用される他の用語も同様に解釈されるべきである（例えば、「〜の間（between）」と「直接的に〜の間（directly between）」、「〜と隣接（adjacent）」と「直接的に〜と隣接（directly adjacent）」など）。本明細書で使用される場合、用語「及び／または」は、記載された一つ以上の関連項目の任意の組み合わせ、及び全ての組み合わせを含んでいる。
【００３５】
用語「第１」、「第２」、「第３」などは、様々な要素、部品、区域、層及び／または部分を説明するために本明細書において使用されてもよいが、こうした用語によって、これらの要素、部品、区域、層及び／または部分が限定されるべきではない。これらの用語は、ある要素、部品、区域、層または部分を、他の区域、層、または部分と区別するためだけに使用されてもよい。用語「第１」、「第２」、及び他の数を示す語などの用語は、本明細書で使用される場合、文脈により明らかに示される場合を除き、順番または順序を意味するものではない。したがって、実施形態の教示から逸脱することなく、下記で説明される第１の要素、部品、区域、層または部分は、第２の要素、部品、区域、層または部分と称されてもよい。
【００３６】
例えば、「内側に（inner）」、「外側に（outer）」、「下に（beneath）」、「下方に（below）」、「より下に（lower）」、「上に（above）」、「上方に（upper）」等の空間に関する用語は、ある要素または特徴の、他の要素または特徴に対する関係を、図面に示されたように説明することを容易にするために本明細書で使用され得る。空間に関する用語は、図面に示された方向に加え、使用中または動作中の装置の異なる方向も含むことが意図されてもよい。例えば、図面の装置が反転した場合、他の要素または特徴の「下方に」または「下に」あると説明された要素は、上記他の要素または特徴の「上に」位置することになる。したがって、例として挙げた用語「下方に」は、「上方」と「下方」の両方の方向を含むことができる。上記の装置は反転する以外の方向に方向づけられてもよく（９０°回転や他の方向）、それに従って本明細書で使用される空間に関する用語が解釈される。
【００３７】
図１を参照すると、第１、第２及び第３の電気部品、つまりモジュール１２、１４、１６間を接続し、上記の間に電気通信を供給するコネクタアセンブリ１０を含み得るように電気アセンブリ８は提供される。コネクタアセンブリ１０は、第１及び第２のコネクタ本体３２、３４（図２及び３）と、第１及び第２のスプリッター端子１８、２０とを含んでもよい。
【００３８】
各端子１８、２０は、複数のワイヤ２２（例えば、３本のワイヤ２２）と電気的に連結される。図１に示すように、各端子１８、２０は比較的大きな本体部２４と、本体部２４の端部から延伸している比較的小さなブレード部２６とを含んでいる金属性の単一体であってもよい。図６に示すように、本体部２４の幅Ｗ１は、ブレード部２４の幅Ｗ２より広い。例えば、幅Ｗ１は、幅Ｗ２より約２倍〜４倍大きくてもよい。本体部２４は、該本体部を貫通して延伸する開口部２７を含んでもよい。ブレード部２６の長手軸Ａ（図６）は、開口部２７を通って延伸してもよい。図には示されないが、いくつかの構成においては、開口部２７は、ブレード部２６と反対側の本体２４の端部２５を貫通して延伸する凹部であってもよい。本体部２４及びブレード部２６は、幅Ｗ１、Ｗ２より大幅に小さい、全般的に一定の厚さＴと、端子１８、２０の長さＬとを有してもよい。本体部２４の比較的大きな長さ、及び幅によって、２本のワイヤ２２が端子１８、２０とそれぞれ溶接されることが可能となり、溶接過程において、端子１８、２０に印加される熱エネルギーを放散するためのヒートシンクが提供される。
【００３９】
図６に示すように、ブレード部２６は、テーパ状の遠位端２９（つまり、遠位端２９は本体部２４から最も離れているブレード部２６の端部である）を含んでもよい。テーパ状の遠位端２９は、ブレード部２６を溝４０及びレセプタクル２８、３０に挿入するために必要な力を減少させることによって、第１及び第２のコネクタ本体３２、３４を接続するために必要な力を減少させる。
【００４０】
図１及び図６に示すように、第１及び第２のモジュール１２、１４からのそれぞれ１つのワイヤ２２は、第１の端子１８の本体部２４と溶接、または他の方法で電気的に接続されてもよく、第１及び第２のモジュール１２、１４からのそれぞれもう１つのワイヤ２２は、第１の端子２０の本体部２４と溶接、半田づけ、及び／または他の方法で電気的に接続されてもよい。第３のモジュール１６の１つのワイヤ２２は、第１の雌レセプタクル２８と溶接、半田づけ、及び／または他の方法で電気的に接続されてもよく、第３のモジュール１６のもう１つのワイヤ２２は、第２の雌レセプタクル３０と溶接、半田づけ、及び／または他の方法で電気的に接続されてもよい。図１、８及び９に示すように、第１の雌レセプタクル２８は、第１の端子１８のブレード部２６を収容、及び、当該ブレード部２６と接触してもよく、第２の雌レセプタクル３０は、第２の端子２０のブレード部２６を収容、及び当該ブレード部２６と接触してもよい。このようにして、端子１８、２０は、第１、第２及び第３のモジュール１２、１４、１６のワイヤ２２間における電流の流れを促進する。つまり、各端子１８、２０は、各第１、第２及び第３のモジュール１２、１４、１６からの、ワイヤ２２間における電流の流れを促進する。
【００４１】
図１に示された例示的な電気アセンブリ８においては、各ワイヤ２２及びコネクタアセンブリ１０を介して、第１のモジュール１２から第２及び第３のモジュール１４、１６へと電流が流れ得る。いくつかの構成においては、第１のモジュール１２と接続されたワイヤ２２を流れる電流のアンペア数は、第２のモジュール１４と接続されたワイヤ２２を流れる第１の電流のアンペア数（Ｘ）と、第３のモジュール１６と接続されたワイヤ２２を流れる第２の電流のアンペア数（Ｙ）との合計（Ｘ＋Ｙ）に等しくてもよい。
【００４２】
図２及び３に示すように、コネクタアセンブリ１０は、第１のコネクタ本体３２及び第２のコネクタ本体３４を含んでもよい。第１及び第２のコネクタ本体３２、３４は、例えば、スナップフィットによって互いに係合されてもよい。図９に示すように、端子１８、２０の本体部２４は、第１のコネクタ本体３２内の溝３６に収容されてもよく、端子１８、２０のブレード部２６は溝３６から突出してもよい。
【００４３】
第１のコネクタ本体３２は、可撓性タブ３８を含んでもよい（図９及び１０）。当該可撓性タブ３８が、端子１８、２０内の開口部２７に嵌め込まれて（snap into）、端子１８、２０を第１のコネクタ本体３２内に保持してもよい。図９及び１０に示すように、各タブ３８は、傾斜面３９及び止め面４１を含んでいる有刺突起部３７を含んでもよい。傾斜面３９は、ブレード部２６の長手軸Ａ（図６）に対して非垂直な角度で配置され、その結果、端子１８、２０が溝３６内に挿入されると、端子１８、２０はタブ３８をそらすことができる。図８及び９に示すように、突起部３７は、端子１８、２０の開口部２７と一直線に配置された場合、突起部３７が開口部２７に収容されるように、タブ３８が通常の位置に跳ね戻ってもよい（snap back）。突起部３７が開口部２７に収容されると、突起部３７の止め面４１と、開口部２７を規定する係止面４４との間の干渉が、溝３６からの端子１８、２０の脱落を制限または防止してもよい。係止面４４は、ブレード部２６の長手軸Ａに対して略垂直である略平らな面であってもよい。
【００４４】
第１及び第２のレセプタクル２８、３０は、第２のコネクタ本体３４に収容される。第１及び第２のコネクタ本体３２、３４が、（図２、８及び９に示すように）互いに嵌合する場合、端子１８、２０のブレード部２６は、第２のコネクタ本体３４内の溝４０を通って、レセプタクル２８、３０内へ延伸してもよい。ブレード部２６のテーパ状の遠位端２９は、レセプタクル２８、３０への挿入を容易にする。端子１８、２０のブレード部２６が、対応するレセプタクル２８、３０内に収容される場合、ブレード部２６は、レセプタクル２８、３０と接触し、それによって、端子１８、２０が、レセプタクル２８、３０とそれぞれ電気的に接続される。図９に示すように、レセプタクル２８、３０は、第２コネクタ本体３４の有刺タブ４６と係合されてもよい。タブ４６は、タブ３８と同様に構成されてもよく、第２コネクタ本体３４からのレセプタクル２８、３０の脱落を制限または防止しながら、レセプタクル２８、３０の第２のコネクタ本体３４への挿入を可能にしてもよい。
【００４５】
上記で説明されたコネクタアセンブリ１０の構造は、従来のシステムに対していくつかの利点をもたらす。例えば、コネクタアセンブリ１０、特に端子１８、２０は、上記に説明したように、２つのコネクタ本体のみが互いに接続された単一のコネクタアセンブリのみを使用して、モジュール間に電流を流すためにモジュール１２、１４、１６を接続させることができる。コネクタ本体３２、３４及び端子１８、２０の構造により、コネクタ本体３２、３４を小さな挿入力で互いに接続することが可能となる。
【００４６】
さらに、コネクタアセンブリ１０を使用することにより、モジュール１２、１４、１６を、上記に説明したように、相互に接続するために必要なワイヤ２２の本数が低減する。先行技術のシステムでは、第１のモジュール１２は４本のワイヤ２２と接続される必要がある。すなわち、第１及び第２のモジュール１２、１４間の通信を促進するため、第２のモジュール１４から延伸している２本のワイヤと接続するための第１のモジュール１２から延伸する２本のワイヤと、第１及び第３のモジュール１２、１６間の通信を促進するため、第３のモジュール１６から延伸している２本のワイヤと接続するための第１のモジュール１２から延伸しているさらに２本のワイヤである。したがって、一部の先行技術のシステムに必要な８本のワイヤの代わりに、本開示のアセンブリ８は、６本のワイヤ２２（各モジュール１２、１４、１６につき２本）のみを含むことが可能である。一部の先行技術のシステムは、多数のコネクタアセンブリ、または、４つのレセプタクルに挿入されなければならない４つの端子を有する一つのコネクタアセンブリも必要とすることがある。４つの端子を４つのレセプタクルに挿入するには、比較的大きな量の力を必要とすることがある。それに対して、本開示の端子１８、２０は、３つのモジュール１２、１４、１６を互いに接続しながら、２つの端子１８、２０のみを２つのレセプタクル２８、３０に挿入することにより、挿入力を減少させる。
【００４７】
実施形態の上記の説明は、例示及び説明のためのものであり、網羅的または本開示を限定することを意図していない。特定の実施形態の個々の要素または特徴は、通常、当該特定の実施形態に限定されず、具体的に提示または説明されなくても、適用可能な場合は、取り替えて、選択された実施形態に使用可能である。前述のことは様々な方法により変形させてもよい。そのような変更は、本開示からの逸脱とみなされず、すべてのそのような変更は、本開示の範囲に含まれることが意図される。
【図面の簡単な説明】
【００４８】
【図１】図１は、本開示の原理に係る複数の端子スプリッターを有するコネクタアセンブリを含む電気アセンブリの概略図である。
【図２】図２は、上記コネクタアセンブリの側面図である。
【図３】図３は、各電気部品（概略的に示す）に接続されたコネクタ本体を有する上記コネクタアセンブリの部分分解斜視図である。
【図４】図４は、上記コネクタアセンブリの第１のコネクタ本体の斜視図であり、上記端子スプリッターが、上記第１のコネクタ本体に収容されている。
【図５】図５は、上記コネクタアセンブリの第２のコネクタ本体の斜視図である。
【図６】図６は、上記複数の端子スプリッターのうちの１つの斜視図であり、上記端子スプリッターは当該端子スプリッターに接続された複数のワイヤを有している。
【図７】図７は、上記第１のコネクタ本体の平面図である。
【図８】図８は、上記コネクタアセンブリの断面図である。
【図９】図９は、上記コネクタアセンブリの他の断面図である。
【図１０】図１０は、上記第１のコネクタ本体の斜視断面図である。
【図１】
2017004936.tif 000003
【図２】
2017004936.tif 000004
【図３】
2017004936.tif 000005
【図４】
2017004936.tif 000006
【図５】
2017004936.tif 000007
【図６】
2017004936.tif 000008
【図７】
2017004936.tif 000009
【図８】
2017004936.tif 000010
【図９】
2017004936.tif 000011
【図１０】
2017004936.tif 000012
【外国語明細書】
2017004936000001.pdf